(57)【要約】【課題】乳幼児が仰臥姿勢、着座姿勢で遊戯ができる幼児用リクライニング式ベッドを提供すること。【解決手段】背部を少なくとも傾斜状態で係止する背部係止手段と、背部係止手段による背部の係止を解除させる背部係止解除手段と、遊戯盤支持部材を少なくとも起立状態及び傾斜状態で係止する遊戯盤支持部材係止手段と、遊戯盤支持部材係止手段による遊戯盤支持部材の係止を解除させる遊戯盤支持部材係止解除手段を備える。【選択図】図２
2008259748.tif 000002
【特許請求の範囲】
【請求項１】
乳幼児の下半身を載置するための脚部と、乳幼児の上半身を支持するための背部と、遊戯盤と、前記遊戯盤を支持する遊戯盤支持部材とを備える乳幼児用リクライニング式ベッドであって、
前記脚部と前記背部とは、使用時に略水平に設置される該脚部に対して該背部が鈍角となるような傾斜状態と展開状態とを少なくとも取り得るように互いに回動自在に連結され、前記脚部及び前記背部の少なくとも一方と前記遊戯盤支持部材とは、使用時に略水平に設置される該脚部に対して該遊戯盤支持部材が鋭角となるような傾斜状態と起立状態とを少なくとも取り得るように互いに回動自在に連結され、
前記背部を少なくとも傾斜状態で係止する背部係止手段と、背部係止手段による前記背部の係止を解除させる背部係止解除手段と、前記遊戯盤支持部材を少なくとも起立状態及び傾斜状態で係止する遊戯盤支持部材係止手段と、前記遊戯盤支持部材係止手段による前記遊戯盤支持部材の係止を解除させる遊戯盤支持部材係止解除手段を備える、
ことを特徴とする乳幼児用リクライニング式ベッド。
【請求項２】
前記遊戯盤は、前記遊戯盤支持部材に対して着脱自在に構成されていることを特徴とする請求項１に記載の乳幼児用リクライニング式ベッド。
【請求項３】
前記脚部、前記背部及び前記遊戯盤支持部材が互いに重合可能に構成されていることを特徴とする請求項１又は２に記載の乳幼児用リクライニング式ベッド。
【請求項４】
前記脚部及び前記背部は基台を介して連結され、前記基台は、前記脚部、前記背部及び前記遊戯盤支持部材を重合・起立状態で支持可能に構成されていることを特徴とする請求項３に記載の乳幼児用リクライニング式ベッド。
【請求項５】
前記基台の背部側の床面に接触可能に構成され、前記脚部の起立に伴って前記基台に接近する方向に動作し、前記脚部の転倒に伴って前記基台から離間する方向に動作して床面に接触して前記乳幼児用リクライニング式ベッドの転倒を防止する転倒防止部材を備えることを特徴とする請求項４に記載の乳幼児用リクライニング式ベッド。
【発明の詳細な説明】
【技術分野】
【０００１】
本発明は、メリーゴーランド等の玩具を取り付けるラックを備えた乳幼児用リクライニング式ベッドに関するものである。
【背景技術】
【０００２】
従来、乳幼児を寝かせた状態で、頭上の遊戯具を触ったりして遊ぶベビージムが各種提供されている（例えば、特許文献１）。
このベビージムは、コ字状に形成された定置部から上方に延び、さらに、水平方向に延びる支柱の先端に、フレームが配設され、このフレームに遊戯具が取り付けられた構造を有している。
【特許文献１】実公平７−３１８４０号公報（図１参照）
【発明の開示】
【発明が解決しようとする課題】
【０００３】
上記特許文献１のベビージムによれば、乳幼児は、コ字に形成された定置部内に寝かされ、乳幼児は手を伸ばして頭上の遊戯具で遊ぶこととなる。
しかしながら、このベビージムにあっては、乳幼児が仰臥姿勢でしか遊べないため不便である。
また、乳幼児をその場で寝かし付ける場合には、別途、布団等が必要となる。
【０００４】
本発明は、かかる問題点を解決するためになされたもので、乳幼児が仰臥姿勢、着座姿勢で遊戯ができる幼児用リクライニング式ベッドを提供することを目的とする。
【課題を解決するための手段】
【０００５】
第１の手段に係る乳幼児用リクライニング式ベッドは、乳幼児の下半身を載置するための脚部と、乳幼児の上半身を支持するための背部と、遊戯盤と、前記遊戯盤を支持する遊戯盤支持部材とを備える乳幼児用リクライニング式ベッドであって、
前記脚部と前記背部とは、使用時に略水平に設置される該脚部に対して該背部が鈍角となるような傾斜状態と展開状態とを少なくとも取り得るように互いに回動自在に連結され、前記脚部及び前記背部の少なくとも一方と前記遊戯盤支持部材とは、使用時に略水平に設置される該脚部に対して該遊戯盤支持部材が鋭角となるような傾斜状態と起立状態とを少なくとも取り得るように互いに回動自在に連結され、
前記背部を少なくとも傾斜状態で係止する背部係止手段と、背部係止手段による前記背部の係止を解除させる背部係止解除手段と、前記遊戯盤支持部材を少なくとも起立状態及び傾斜状態で係止する遊戯盤支持部材係止手段と、前記遊戯盤支持部材係止手段による前記遊戯盤支持部材の係止を解除させる遊戯盤支持部材係止解除手段を備える、
ことを特徴とする。
【０００６】
第２の手段に係る乳幼児用リクライニング式ベッドは、第１の手段に係る乳幼児用リクライニング式ベッドにおいて、前記遊戯盤は、前記遊戯盤支持部材に対して着脱自在に構成されていることを特徴とする。
【０００７】
第３の手段に係る乳幼児用リクライニング式ベッドは、第１又は第２の手段に係る乳幼児用リクライニング式ベッドにおいて、前記脚部、前記背部及び前記遊戯盤支持部材が互いに重合可能に構成されていることを特徴とする。
【０００８】
第４の手段に係る乳幼児用リクライニング式ベッドは、第３の手段に係る乳幼児用リクライニング式ベッドは、前記脚部及び前記背部は基台を介して連結され、前記基台は、前記脚部、前記背部及び前記遊戯盤支持部材を重合・起立状態で支持可能に構成されていることを特徴とする。
【０００９】
第５の手段に係る乳幼児用リクライニング式ベッドは、第４の手段に係る乳幼児用リクライニング式ベッドにおいて、前記基台の背部側の床面に接触可能に構成され、前記脚部の起立に伴って前記基台に接近する方向に動作し、前記脚部の転倒に伴って前記基台から離間する方向に動作して床面に接触して前記乳幼児用リクライニング式ベッドの転倒を防止する転倒防止部材を備えることを特徴とする。
【発明の効果】
【００１０】
第１の手段に係る乳幼児用リクライニング式ベッドによれば、遊戯盤支持部材の角度が少なくとも２段階で変えられるので、乳幼児が色々な姿勢で遊戯を楽しむことができる。また、乳幼児が疲れた時などはその場で寝かし付けることもできる。
【００１１】
第２の手段に係る乳幼児用リクライニング式ベッドによれば、遊戯盤が取り外せるので、他の遊戯盤と交換することができると共に、遊戯盤を取り外した状態で乳幼児用リクライニング式ベッドを片づけることができる。
【００１２】
第３の手段に係る乳幼児用リクライニング式ベッドによれば、脚部、背部及び遊戯盤支持部材を重合して折り畳むことができるので、片づけが容易となる。
【００１３】
第４の手段に係る乳幼児用リクライニング式ベッドによれば、脚部、背部及び遊戯盤支持部材を重合・起立状態で基台に支持できるので、片づけのための平面的スペースが少なくて済む。
【００１４】
第５の手段に係る乳幼児用リクライニング式ベッドによれば、転倒防止部材は脚部の起倒に連動して動作し、脚部を転倒した際には基台から離間して転倒防止機能を発揮する。したがって、使用時には転倒防止機能を確実に発揮することになる。一方、脚部を起立した際には基台に接近して背部を起立させた際の平面的な面積を減少させるように機能する。したがって、片づけが簡単に行えることになる。
【発明を実施するための最良の形態】
【００１５】
以下に、本発明に係る乳幼児用リクライニング式ベッドを、図面を参照しながら説明する。
図１は、本発明に係る乳幼児用リクライニング式ベッドの一実施形態を示した斜視図、図２（ａ）〜（ｄ）は、その乳幼児用リクライニング式ベッドの各使用態様を示した斜視図、図３は、その乳幼児用リクライニング式ベッドの格納態様を示した斜視図である。
【００１６】
乳幼児用リクライニング式ベッド１はベッド本体２を備える。ベッド本体２は脚部３及び背部４が左右の基台４０，４０に組み付けられた構造となっている。また、基台４０，４０にはラック部５が組み付けられている。そして、この脚部３、背部４及びラック部５は互いに独立して床面に対して角度調節ができるように構成されている。以下、その詳細を説明する。
【００１７】
脚部３は、図２（ａ）〜（ｄ）に示すように床面に対して０度の状態と、図３に示すように床面に対して９０度の状態（起立状態）とを取り得るように構成されている。また、背部４は、図２（ａ）に示すように床面に対して０度程度の状態と、図２（ｂ）に示すように床面に対して１５度程度の状態と、図２（ｃ）に示すように床面に対して６０度程度の状態と、図２（ｄ）に示すように床面に対して７５度程度の状態と、図３に示すように床面に対して９０度の状態とを取り得るように構成されている。また、ラック部５は、図２（ａ）及び（ｂ）に示すように床面に対して９０度の状態と、図２（ｃ），（ｄ）に示すように床面に対して４０度程度の状態とを取り得るように構成されている。
【００１８】
図４及び図５は、乳幼児用リクライニング式ベッド１からクッションＣを取り除くことによって露出する全体フレームを示した斜視図である。このうち図４は使用時の形態の一例（図２（ｄ）の状態の形態）を示し、図５は格納時の形態（図３の状態の形態）を示している。なお、これらの図では、便宜上、フレームが簡略化して示されていることに留意する必要がある。
【００１９】
全体フレームは、大別すれば、脚部フレーム１０、背部フレーム２０及びラック部フレーム（遊戯盤支持部材）３０を備える。脚部フレーム１０、背部フレーム２０及びラック部フレーム３０は互いに独立して回動できるように半月状の基台４０，４０に組み付けられている。なお、特に限定はされないが、脚部フレーム１０、背部フレーム２０及びラック部フレーム３０は、基台４０，４０側から見て、逆Ｕ字状に形成されている。
【００２０】
また、この乳幼児用リクライニング式ベッド１は転倒防止部材５０を備える。すなわち、転倒防止部材５０は棒状部材によって構成されている。そして、転倒防止部材５０は、基台４０，４０側から見て、逆Ｕ字状に形成されている。この転倒防止部材５０は基台４０，４０に掛け渡されており、転倒防止部材５０の両端部は基台４０，４０に対して出没自在となっている。そして、この転倒防止部材５０は、脚部フレーム１０を床面に対して起立させた際に基台４０，４０に接近する方向に動作する。また、この転倒防止部材５０は、脚部フレーム１０を起立状態から傾倒させる際に基台４０，４０から離間する方向に動作し、乳幼児用リクライニング式ベッド１が後方へ転倒しないように支持する働きをする。
【００２１】
図６は乳幼児用リクライニング式ベッド１に組み込まれた機構を示している。同図に示すように、脚部フレーム１０は各基端部に環状の軸受部１１を備える。各軸受部１１は内フランジ１２を備える。一方、各基台４０の中央には円板４１が固定して設けられている。そして、各脚部フレーム１０の軸受部１１は、基台４０の円板４１を囲むように、円板４１に対して同心的に配置されている。
【００２２】
内フランジ１２の内側には脚部係止手段６０が設けられている。すなわち、円板４１の外周には凹部６２ａ，６２ｂが形成されている。また、図７に示すように、内フランジ１２には円板４１の近傍にレバー６１が設けられている。レバー６１は、内フランジ１２に付設された軸１３を中心に回動自在に構成されている。レバー６１は、円板４１に対峙する面に爪６１ａを備える。この爪６１ａはスプリング６３によって円板４１方向に付勢されている。この爪６１ａは、凹部６２ａ，６２ｂに選択的に係合することによって、脚部フレーム１０を所定の回動位置に係止する働きをする。
【００２３】
また、脚部フレーム１０には脚部係止解除手段７０が設けられている。この脚部係止解除手段７０の主体は、図８に示すように、脚部フレーム１０の自由端部に付設のケース体７１に組み付けられている。すなわち、図８に示すように、ケース体７１の基台側部分には把持片７２が出没自在に設けられている。この把持片７２はスプリング７３によって突出方向（基台側）に付勢されている。把持片７２の両側にはワイヤ７４，７４の一端が固定されている。各ワイヤ７４の他端は上記レバー６１に連結されている。そして、把持片７２をケース体７１に没する方向に操作すると、各ワイヤ７４を介して各レバー６１が各スプリング６３の付勢力に抗する方向に各軸１３を中心に回動して、脚部係止手段６０による脚部フレーム１０の係止が解除されるようになっている。
【００２４】
また、把持片７２には把持片ロック手段８０が付設されている。この把持片ロック手段８０はスライド片８１を備える。このスライド片８１は把持片７２内に配設されている。また、スライド片８１は、乳幼児用リクライニング式ベッド１の幅方向に動作することができるように構成され、常態では、動作方向両側に配設されたスプリング８３，８３によって中央位置に留められている。スライド片８１には、把持片７２から突出する摘み８２が設けられている。また、スライド片８１には突起８４が設けられている。一方、ケース体７１の内面にはＵ字状の溝８５が形成されている。このＵ字状の溝８５は、スライド片８１の動作方向に延在する溝部分８５ａと、その溝部分８５ａの両端に連結され把持片７２の動作方向に延在する溝部分８５ｂ，８５ｂとによって構成されている。
このように構成された把持片ロック手段８０によれば、スライド片８１の突起８４は、常態（図８（ａ）に示す状態）では、溝８５の溝部分８５ｂ，８５ｂの中間位置にある。この位置では、把持片７２をケース体７１に没する方向に操作しようとしても、スライド片８１の突起８４がケース体７１の溝部分８５ａの縁に当たるので、把持片７２を操作できない。一方、スライド片８１の摘み８２を図８（ｂ）に示すように乳幼児用リクライニング式ベッド１の幅方向に動作させた状態で、把持片７２をケース体７１に没する方向に操作すると、この位置では突起８４が溝部分８５ｂに合致するので、把持片７２をケース体７１に没する方向に操作可能となる。
【００２５】
また、図６に示すように、背部フレーム２０は各基端部に環状の軸受部２１を備える。各軸受部２１は内フランジ２２を備える。各軸受部２１は、基台４０の円板４１を囲むように、円板４１に対して同心的に配置されている。
【００２６】
内フランジ２２の内側には背部係止手段９０が設けられている。すなわち、円板４１の外周には凹部９２ａ〜９２ｆが形成されている。また、図７に示すように、内フランジ２２には円板４１の近傍にレバー９１が設けられている。レバー９１は、内フランジ２２に付設された軸２３を中心に回動自在に構成されている。レバー９１は、円板４１に対峙する面に爪９１ａを備える。この爪９１ａはスプリング９３によって円板４１方向に付勢されている。この爪９１ａは、凹部９２ａ〜９２ｆに選択的に係合することによって、脚部フレーム２０を所定の回動位置に係止する働きをする。
【００２７】
また、背部フレーム２０には背部係止解除手段１００が設けられている。なお、背部係止解除手段１００は、脚部フレーム１０の脚部係止解除手段７０と略同構造であるので、背部係止解除手段１００を脚部係止解除手段７０の説明に使用した図８に基づいて説明する。
【００２８】
背部係止解除手段１００の主体は、図８に示すように、背部フレーム２０の自由端部に付設のケース体１０１に組み付けられている。すなわち、図８に示すように、ケース体１０１の基台側部分には把持片１０２が出没自在に設けられている。この把持片１０２はスプリング１０３によって突出方向（基台側）に付勢されている。把持片１０２の両側にはワイヤ１０４，１０４の一端が固定されている。各ワイヤ１０４の他端は上記レバー９１に連結されている。そして、把持片１０２をケース体１０１に没する方向に操作すると、各ワイヤ１０４を介して各レバー９１が各スプリング９３の付勢力に抗する方向に各軸２３を中心に回動して、背部係止手段９０による背部フレーム２０の係止が解除されるようになっている。
【００２９】
また、把持片１０２には把持片ロック手段１１０が付設されている。この把持片ロック手段１１０はスライド片１１１を備える。このスライド片１１１は把持片１０２内に配設されている。また、スライド片１１１は、乳幼児用リクライニング式ベッド１の幅方向に動作することができるように構成され、常態では、動作方向両側に配設されたスプリング１１３，１１３によって中央位置に留められている。スライド片１１１には、把持片１０２から突出する摘み１１２が設けられている。また、スライド片１１１には突起１１４が設けられている。一方、ケース体１０１の内面にはＵ字状の溝１１５が画成されている。このＵ字状の溝１１５は、スライド片１１１の動作方向に延在する溝部分１１５ａと、その溝部分１１５ａの両端に連結され把持片１０２の動作方向に延在する溝部分１１５ｂ，１１５ｂとによって構成されている。
このように構成された把持片ロック手段１１０によれば、スライド片１１１の突起１１４は、常態（図８（ａ）に示す状態）では、溝１１５の溝部分１１５ｂ，１１５ｂの中間位置にある。この位置では、把持片１０２をケース体１０１に没する方向に操作しようとしても、スライド片１１１の突起１１４がケース体１０１の溝部分１１５ａの縁に当たるので、把持片１０２を操作できない。一方、スライド片１１１の摘み１１２を図８（ｂ）に示すように乳幼児用リクライニング式ベッド１の幅方向に動作させた状態で、把持片１０２をケース体１０１に没する方向に操作すると、この位置では突起１１４が溝部分１１５ｂに合致するので、把持片１０２をケース体１０１に没する方向に操作可能となる。
【００３０】
また、図６に示すように、ラック部フレーム３０は各基端部に環状の軸受部３１を備える。一方、各基台４０の中央には円板４２が固定して設けられている。そして、ラック部フレーム３０の各軸受部３１は、基台４０の円板４２を囲むように、円板４２に対して同心的に配置されている。
【００３１】
そして、ラック部フレーム３０の各軸受部３１と基台４０の円板４２との間には係止手段１２０が設けられている。各係止手段１２０は、図９に示すように、スライド片１２１、凹部１２２ａ，１２２ｂ及びスプリング１２３によって構成されている。各スライド片１２１は、軸受部３１の近傍にラック部フレーム３０の中空部３３内に収容された状態で配設されている。各スライド片１２１には、円板４２に対峙する面に爪１２１ａが設けられ、それとは反対側の面に操作摘み１２１ｂが設けられている。また、各凹部１２２ａ，１２２ｂは円板４２の周面に形成されている。また、各スプリング１２３はスライド片１２１を円板４２に向けて付勢されている。
【００３２】
そして、図９（ａ）に示すように、各スライド片１２１の爪１２１ａが円板４２の凹部１２２ａに係合することによって、ラック部フレーム３０が係止されて起立状態に保持される。このラック部フレーム３０を、水平に所定の角度、本実施形態では、４０度程度に傾けたい場合には、各操作摘み１２１ｂをスプリング１２３の付勢力に抗して上方に移動させると、爪１２１ａが円板４２の凹部１２２ａから脱出し、ラック部フレーム３０の係止が解除される。そして、図９（ｂ）に示すように、ラック部フレーム３０を傾動させれば、各爪１２１ａが円板４２の凹部１２２ｂに嵌入し、ラック部フレーム３０が係止されて傾斜した状態に保持される。
【００３３】
また、図６に示すように、２つの基台４０，４０に亘って転倒防止部材５０が設けられている。この転倒防止部材５０り両端部はガイド部材４３，４３によって水平方向に摺動可能に支持されている。また、転倒防止部材５０はリンク機構１３０，１３０を介して脚部フレーム１０に連結されている。
ここで、各リンク機構１３０は、図１０に示すように、スライドリンク１３１及び揺動リンク１３２を含んで構成されている。各スライドリンク１３１には長孔１３１ａ，１３１ｂが形成されている。各長孔１３１ａには、基台４０に付設された軸４４が臨入されている。各軸４４は脚部フレーム１０，背部フレーム２０及びラック部フレーム３０の回動中心に存在する。また、各長孔１３１ｂには、揺動リンク１３２に付設されたピン１３２ａが臨入されている。そして、各スライドリンク１３１は、長孔１３１ａ，１３１ｂに摺接した状態でスライド可能となっている。また、各スライドリンク１３１の下側端部には転倒防止部材５０の一端部が回対偶をなすように連結されている。
一方、各揺動リンク１３２は三角状の平板で構成されている。各揺動リンク１３２は軸４４を中心に揺動可能となっている。また、各揺動リンク１３２にはピン１３２ｃが付設されている。各ピン１３２ｃは、基台４０に形成され軸４４を中心とする弧状孔４５に臨入されている。各弧状孔４５は、揺動リンク１３２が軸４４を中心に揺動する際にピン１３２ｃを案内する働きをする。
ところで、各ピン１３２ｃは、弧状孔４５に臨入された際に弧状孔４５を貫通し、背部フレーム１０に回動自在に連結されている。
そして、図１０（ａ）に示すように、突出状態にある転倒防止部材５０は、脚部フレーム１０が起立方向に動作すると、図１０（ｂ）に示すように、各ピン１３２ｃが弧状孔４５に沿って動作し，これによって揺動リンク１３２が軸４４を中心に所定方向に回転する。このとき、スライドリンク１３１は軸４４を中心に所定方向に回転しつつ，軸４４とピン１３２ａとを結ぶ方向に動作する。これによって、転倒防止部材５０の各端部が基台４０に没する方向に動作する。
【００３４】
また、クッションＣの裏面側には、図１１に示すように脚部３及び背部４を重合させた際に基台側に向けて開口する袋部Ｃ−１，Ｃ−１が設けられている。このクッションＣは、脚部フレーム１０及び背部フレーム２０を重合させた状態で、上方から脚部フレーム１０および背部フレーム２０に被せるようにして装着される。なお、クッションＣの表面には、図１に示すように、乳幼児保持ベルト１４０が取り付けられている。この乳児保持ベルト１４０は、股ベルト１４０ａと脇ベルト１４０ｂ，１４０ｂとによって構成され、それらによって乳幼児を背部４に拘束する。
【００３５】
また、ラック部フレーム３０の自由端部には遊戯盤３４が配設されている。この遊戯盤３４には、図示はしないがラック部フレーム３０に嵌め込み可能な溝が形成され、ラック部フレーム３０に対して着脱自在となっている。そして、このラック部フレーム３０から実施形態の遊戯盤３４を取り外して他の遊戯盤（テーブル等）を取り付けることができるようになっている。
なお、遊戯盤３４には、遊戯具６、例えば、遊戯盤３４に吊り下げられ、リングを引っ張ることによって、音を発生する玩具６ａ、遊戯盤３４に吊り下げられ、触ると音が出る玩具６ｂ、遊戯盤３４に吊り下げられ、電動で回転する玩具６ｃ、遊戯盤３４に取り付けられ、紐を引っ張ると、それに伴ってキャラクタが隠れ、紐を離すとキャラクタが現れる玩具６ｄ、遊戯盤３４に取り付けられ、ビーズを溝に沿って手で動かす玩具６ｅ、遊戯盤３４にスイッチおよびスピーカを設置し、スイッチを押すことによってメロディを発生する玩具６ｆ、遊戯盤３４に取り付けられ、回転させることによって音を発生する玩具６ｇ等が配置される。
【図面の簡単な説明】
【００３６】
【図１】本発明に係る乳幼児用リクライニング式ベッドの一実施形態を示した斜視図である。
【図２】（ａ）〜（ｄ）は、乳幼児用リクライニング式ベッドの各使用態様を示した斜視図である。
【図３】乳幼児用リクライニング式ベッドの格納状態を示した斜視図である。
【図４】乳幼児用リクライニング式ベッドを構成するフレームを示した斜視図であり、乳幼児用リクライニング式ベッドの使用形態を示している。
【図５】乳幼児用リクライニング式ベッドを構成するフレームを示した斜視図であり、乳幼児用リクライニング式ベッドの格納形態を示している。
【図６】乳幼児用リクライニング式ベッド１の各機構を示した機構図である。
【図７】（ａ）および（ｂ）は、脚部フレームおよび背部フレームの係止手段を示した機構図であり、（ａ）は、使用状態を示し、（ｂ）は、格納状態を示している。
【図８】（ａ）および（ｂ）は、脚部フレームおよび背部フレームの係止解除手段を示した機構図であり、（ａ）は、非操作状態を示し、（ｂ）は、操作状態を示している。
【図９】（ａ）および（ｂ）は、ラックフレームの係止手段を示した機構図であり、（ａ）は、ラックフレームを鉛直状態に係止した状態を示し、（ｂ）は、ラックフレームを傾斜させた状態に係止した状態を示している。
【図１０】（ａ）および（ｂ）は、支持フレームの支持構造を示した機構図であり、（ａ）は、支持フレームが突出されている状態を示し、（ｂ）は、支持フレームが退避された状態を示している。
【図１１】クッションの取り付け状態を示した断面図である。
【符号の説明】
【００３７】
１  乳幼児用リクライニング式ベッド
２  ベッド本体
３  脚部
４  背部
５  ラック部
６，６ａ〜６ｇ  玩具
１０  脚部フレーム
２０  背部フレーム
３０  ラック部フレーム
３４  遊戯盤
４０  基台
５０  転倒防止部材
６０  脚部係止手段
７０  脚部係止解除手段
９０  背部係止手段
１００  背部係止解除手段
【図１】
2008259748.tif 000003
【図２】
2008259748.tif 000004
【図３】
2008259748.tif 000005
【図４】
2008259748.tif 000006
【図５】
2008259748.tif 000007
【図６】
2008259748.tif 000008
【図７】
2008259748.tif 000009
【図８】
2008259748.tif 000010
【図９】
2008259748.tif 000011
【図１０】
2008259748.tif 000012
【図１１】
2008259748.tif 000013